(57)【要約】【課題】  タッチ操作可能な表示部が故障発生により判読不能・視認不能になったとしても、最低限の操作が可能な状態に維持し得る熱源機用操作装置を提供する。【解決手段】  バックライトや液晶表示パネルに故障が発生して、表示部１０，２０の通常画面表示の各種操作スイッチが判読不能又は視認不能に陥った場合、故障検知出力に基づき故障時対応モードに切換える。表示部１０，２０のタッチ操作可能な領域全面に対し単一の操作スイッチ機能（ふろ自動スイッチ機能）を割り付けたり、領域全面を四分割した４領域Ｒｒｕ，Ｒｒｌ，Ｒｌｕ，Ｒｌｌに互いに異なる種類の操作スイッチ機能（ふろ自動スイッチ機能、追いだきスイッチ機能等）を割り付ける。指Ｆ等によるタッチ操作により、対応する操作スイッチを検出し熱源機のコントローラに送信する。【選択図】図６
2017199101.tif 000002
【特許請求の範囲】
【請求項１】
熱源機の操作に関するタッチ操作可能な複数種類の操作対象が表示可能に構成された表示部を備えた熱源機用操作装置において、
前記表示部に表示される操作対象が視認不良となる故障が発生したとき、前記表示部のタッチ操作可能な略全領域に対し特定の単一種類の操作対象を割り付ける故障時対応モードに切換制御するための故障時対応制御部を備えている、
ことを特徴とする熱源機用操作装置。
【請求項２】
熱源機の操作に関するタッチ操作可能な複数種類の操作対象が表示可能に構成された表示部を備えた熱源機用操作装置において、
前記表示部に表示される操作対象が視認不良となる故障が発生したとき、前記表示部のタッチ操作可能な略全領域を上下及び／又は左右に分割し、これら分割領域に対し特定の互いに異なる種類の操作対象をそれぞれ割り付ける故障時対応モードに切換制御するための故障時対応制御部を備えている、
ことを特徴とする熱源機用操作装置。
【請求項３】
請求項１又は請求項２に記載の熱源機用操作装置であって、
前記故障時対応モードにより割り付けられる特定種類の操作対象を他の特定種類の操作対象に変更設定するための設定変更制御部を備えている、熱源機操作装置。
【請求項４】
請求項１又は請求項２に記載の熱源機用操作装置であって、
前記故障時対応モードにより割り付けられる特定種類の操作対象を、外部からの通信指令に基づいて、他の特定種類の操作対象に変更設定するための設定変更制御部を備えている、熱源機操作装置。
【請求項５】
静電容量検出部を有し静電容量方式に構成されたタッチパネルを備え、熱源機の操作に関するタッチ操作可能な複数種類の操作対象が表示可能に構成された表示部を備えた熱源機用操作装置において、
前記表示部に表示される操作対象が視認不良となる故障が発生したとき、前記静電容量検出部により検出される静電容量に基づいて非タッチ操作による操作対象を検出するための故障時対応モードに切換制御するための故障時対応制御部を備え、
前記故障時対応制御部は、前記表示部のタッチ操作可能な略全領域から検出される静電容量と、予め定めた静電容量の閾値及び／又は予め定めた静電容量の変化パターンとの対比に基づいて前記非タッチ操作による操作対象を検出するように構成されている、
ことを特徴とする熱源機操作装置。
【請求項６】
請求項１〜請求項５のいずれかに記載の熱源機用操作装置であって、
前記表示部に表示される操作対象が視認不良となる故障発生を検知するための故障検知部を備え、前記故障時対応制御部は前記故障検知部からの検知出力を受けて切換制御を実行するように構成されている、熱源機用操作装置。
【請求項７】
請求項１〜請求項６のいずれかに記載の熱源機用操作装置であって、
音声報知部をさらに備え、
前記故障時対応制御部は、制御実行の際に少なくとも操作対象に係る情報を前記音声報知部により報知するように構成されている、熱源機用操作装置。
【発明の詳細な説明】
【技術分野】
【０００１】
本発明は、熱源機用リモコンなどの熱源機用操作装置に関し、特にタッチパネルを用いた熱源機用操作装置に係る。
【背景技術】
【０００２】
本出願人は、表示画面をタッチパネルにより構成し、熱源機の運転操作や給湯温度等の設定操作をタッチパネルのタッチ操作によって行うことのできる熱源機用リモコンの開発を進めている。かかる開発においては、タッチパネルに故障が発生した場合の対策について検討が進められている。
【０００３】
下記の特許文献１では、自動取引装置の表示装置において、タッチパネルを構成する発光素子又は受光素子の一部に故障が発生し、ある部位が入力不能となる障害が発生したとき、その障害発生及び障害個所を検出し、その障害個所領域がキー入力有効エリアと重なる場合には、そのキー入力有効エリアの表示位置を障害個所以外の非障害部位に移動させるように画面表示を変更することが提案されている（例えば、同文献１の段落００１２,００１７〜００２１参照）。
【先行技術文献】
【特許文献】
【０００４】
【特許文献１】特開平６−９５８０２号公報
【発明の概要】
【発明が解決しようとする課題】
【０００５】
通常、タッチパネルディスプレイは、液晶表示、タッチスイッチ及びバックライトにより構成される。ところが、バックライトが故障してしまうと画面が暗転しまい、液晶表示やタッチスイッチが正常であったとしても、ユーザーからは液晶表示が見えなくなって操作不能となる。記憶を頼りにタッチ操作をしても、異なる部位へのタッチ操作を招き易く、誤操作による熱源機の誤作動を招くおそれがある。一方、誤操作回避の観点から、バックライト故障検知の場合には、たとえタッチ操作が行われても無効にして操作信号の入力をキャンセルする対策も考えられるが、かかる対策では運転操作や設定操作が全く不能となって不便を来すことになる。                                                    
【０００６】
本発明は、このような事情に鑑みてなされたものであり、その目的とするところは、タッチ操作可能な表示部が故障発生により判読不能・視認不良になったとしても、最低限の操作が可能な状態に維持し得る熱源機用操作装置を提供することにある。
【課題を解決するための手段】
【０００７】
前記目的を達成するために、熱源機の操作に関するタッチ操作可能な複数種類の表示対象が表示可能に構成された表示部を備えた熱源機用操作装置を対象にして、次の技術的手段を講じた。
【０００８】
すなわち、第１の発明として、前記表示部に表示される操作対象が視認不良となる故障が発生したとき、前記表示部のタッチ操作可能な略全領域に対し特定の単一種類の操作対象を割り付ける故障時対応モードに切換制御するための故障時対応制御部を備えることとした（請求項１）。この発明の場合、表示部が故障発生（例えばバックライトの故障又は液晶表示パネルの故障等）により画面の操作対象が視認不能又は判読不能となったとしても、表示部の全領域を対象にしてタッチ操作をすることで、少なくとも単一の操作対象に対する操作を行うことが可能となる。しかも、切換制御により通常時のタッチ操作に基づく誤操作発生のおそれを回避し得るようになる。ここで、「略全領域」の「略」とは、実質的に全領域との意味であり、ユーザーによるタッチ操作に実質的に関与しないと考えられる周囲の縁部分を除く趣旨である。以下の請求項２又は請求項５において同じである。
【０００９】
又、第２の発明として、前記表示部に表示される操作対象が視認不良となる故障が発生したとき、前記表示部のタッチ操作可能な略全領域を上下及び／又は左右に分割し、これら分割領域に対し特定の互いに異なる種類の操作対象をそれぞれ割り付ける故障時対応モードに切換制御するための故障時対応制御部を備えることとした（請求項２）。この発明の場合、表示部が故障発生（例えばバックライトの故障又は液晶表示パネルの故障等）により画面の操作対象が視認不能又は判読不能となったとしても、表示部の全領域を等分割した各分割領域を対象にしてタッチ操作をすることで、少なくとも２種類以上の操作対象に対する操作を行うことが可能となる。しかも、切換制御により通常時のタッチ操作に基づく誤操作発生のおそれを回避し得るようになる。
【００１０】
以上の発明の熱源機用操作装置において、前記故障時対応モードにより割り付けられる特定種類の表示対象を他の特定種類の操作対象に変更設定するための設定変更制御部を備える構成とすることができる（請求項３）。このようにすることにより、特定種類の操作対象について変更設定可能となって、故障発生時においても、ユーザーの意図に沿った操作を継続して行うことができるようになる。
【００１１】
あるいは、前記故障時対応モードにより割り付けられる特定種類の操作対象を、外部からの通信指令に基づいて、他の特定種類の操作対象に変更設定するための設定変更制御部を備える構成とすることができる（請求項４）。このようにすることにより、請求項３の場合と同様に、特定種類の操作対象について変更設定可能となって、故障発生時においても、ユーザーの意図に沿った操作を継続して行うことができるようになる。その上に、正常な他の装置から通信指令を送信することで、故障発生状態の操作装置における設定変更が可能となる。これにより、確実な変更設定を行うことができるようになる。
【００１２】
第３の発明として、静電容量検出部を有し静電容量方式に構成されたタッチパネルを備え、熱源機の操作に関するタッチ操作可能な複数種類の操作対象が表示可能に構成された表示部を備えた熱源機用操作装置を対象にして、次の特定事項を備えるようにした。すなわち、前記表示部に表示される操作対象が視認不良となる故障が発生したとき、前記静電容量検出部により検出される静電容量に基づいて非タッチ操作による操作対象を検出するための故障時対応モードに切換制御するための故障時対応制御部を備えることとする。そして、前記故障時対応制御部として、前記表示部のタッチ操作可能な略全領域から検出される静電容量と、予め定めた静電容量の閾値及び／又は予め定めた静電容量の変化パターンとの対比に基づいて前記非タッチ操作による操作対象を検出する構成とした（請求項５）。
【００１３】
この第３の発明の場合、表示部が故障発生（例えばバックライトの故障又は液晶表示パネルの故障等）により画面の操作対象が視認不能又は判読不能となったとき、その表示部に対するタッチ操作を行わなくても、表示部に対する非タッチ操作に基づいて、少なくとも１以上の操作を行うことが可能となる。しかも、表示部に対するタッチ操作を必要としないため、通常時のタッチ操作に基づく誤操作発生のおそれを確実に回避し得るようになる。
【００１４】
以上の熱源機用操作装置において、前記表示部に表示される操作対象が視認不良となる故障発生を検知するための故障検知部を備え、前記故障時対応制御部は前記故障検知部からの検知出力を受けて切換制御を実行する構成とすることができる（請求項６）。このようにすることにより、故障時対応制御の実行開始を確実なタイミングで行うことができるようになる。
【００１５】
さらに、以上の熱源機用操作装置において、音声報知部をさらに備えることとし、前記故障時対応制御部として、制御実行の際に少なくとも操作対象に係る情報を前記音声報知部により報知する構成とすることができる（請求項７）。このように案内報知を受けることにより、故障発生時の操作をユーザーは安心して行うことができるようになる。
【発明の効果】
【００１６】
以上、説明したように、第１の発明に係る熱源機用操作装置によれば、表示部に故障（例えばバックライトの故障又は液晶表示パネルの故障等）が発生したことにより画面の操作対象が視認不能又は判読不能となったとしても、表示部の全領域を対象にしてタッチ操作をすることで、少なくとも単一の操作対象に対する操作を継続して行うことができるようになる。しかも、故障時対応制御部による切換制御により通常時のタッチ操作に基づく誤操作発生のおそれを回避することができるようになる。
【００１７】
又、第２の発明に係る熱源機用操作装置によれば、表示部に故障（例えばバックライトの故障又は液晶表示パネルの故障等）が発生したことにより画面の操作対象が視認不能又は判読不能となったとしても、表示部の全領域を等分割した各分割領域を対象にしてタッチ操作をすることで、少なくとも２種類以上の操作対象に対する操作を継続して行うことができるようになる。しかも、切換制御により通常時のタッチ操作に基づく誤操作発生のおそれを回避することができるようになる。
【００１８】
さらに、第３の発明に係る熱源機用操作装置によれば、表示部に故障（例えばバックライトの故障又は液晶表示パネルの故障等）が発生したことにより画面の操作対象が視認不能又は判読不能となったとき、その表示部に対するタッチ操作を行わなくても、表示部に対する非タッチ操作に基づいて、少なくとも１以上の操作を継続して行うことができるようになる。しかも、表示部に対するタッチ操作を必要としないため、通常時のタッチ操作に基づく誤操作発生のおそれを確実に回避することができるようになる。
【図面の簡単な説明】
【００１９】
【図１】本発明の熱源機用操作装置に係る一実施形態としてのリモコンと、熱源機とを示す模式図である。
【図２】リモコンの拡大断面説明図である。
【図３】リモコンの構成及び熱源機のコントローラとの関係を示す概略ブロック図である。
【図４】リモコンの通常画面の例を示す概略画面構成図である。
【図５】リモコンに対するタッチ操作に基づく制御例を示すフローチャートである。
【図６】図６（ａ）はリモコンの表示部に故障が発生したときの状態例及び故障発生時のタッチ操作例を説明図するための正面説明図であり、図６（ｂ）は故障発生時のタッチ操作例として図６（ａ）とは異なる例を示す正面説明図である。
【図７】故障時対応制御の例を示すフローチャートである。
【図８】正常なリモコンを用いて、故障発生状態の他のリモコンにおける故障時対応制御の限定対象を機能設定するための操作例を説明するための正面説明図である。
【図９】故障発生状態に故障時対応制御に切換えられたリモコンを用いて操作指令を入力するための非タッチ操作の例を示す説明図である。
【図１０】故障発生状態に故障時対応制御に切換えられたリモコンを用いて操作指令を入力するための非タッチ操作の例を示す説明図である。
【発明を実施するための形態】
【００２０】
以下、本発明の実施形態を図面に基づいて説明する。
【００２１】
図１は、本発明の実施形態に係る熱源機用操作装置としてのリモコン（例えば、浴室リモコン１及び台所リモコン２）と、これら浴室リモコン１及び台所リモコン２により遠隔操作される遠隔操作対象としての熱源機３との概略構成を示している。この熱源機３は、給湯配管４を介して台所等の給湯栓４ａや浴室Ｂ内又は洗面台のシャワーヘッド４ｂに対し給湯する給湯機能、及び、ふろ往き管５ａ及びふろ戻り管５ｂを介して浴槽６の湯張りや追い焚き等を行うふろ機能を有しており、内蔵のコントローラ７により給湯動作や、ふろ動作に係る作動制御が行われるように構成されている。ここで、ふろ動作には、湯張り，追い焚き（保温のためのものを含む），足し湯あるいは足し水等がある。なお、熱源機用操作装置としてのリモコンは、前記の浴室リモコン１及び台所リモコン２以外にも設置することができ、これらについても以下説明する本発明の実施形態に係る操作装置を適用することができる。さらに、熱源機３としては、燃料電池やヒートポンプ等の外部熱源機や、これに給湯器等の補助熱源機を組み合わせたものにより構成することができ、これらの操作のためのリモコンに本発明を適用することができる。
【００２２】
コントローラ７は浴室リモコン１や台所リモコン２のそれぞれと互いに有線若しくは無線により通信接続されて、浴室リモコン１や台所リモコン２からの遠隔操作に係る制御信号や設定信号等がコントローラ７に送出され、コントローラ７はこれらの制御信号や設定信号に基づいて熱源機３の作動制御を行う他、浴室リモコン１及び台所リモコン２の両者間で相互に情報の共有を図るように構成されている。具体的には、例えば、台所リモコン２で給湯温度やふろ温度等がユーザーにより設定されて、その温度情報がコントローラ７に送信されると、コントローラ７はその温度情報を浴室リモコン１に送信し、浴室リモコン１は受信した温度情報を記憶する一方、その温度情報に基づいて給湯温度表示等を変更する制御を実行することになる。
【００２３】
浴室リモコン１や台所リモコン２（以下、両者を指して単に「リモコン１,２」とも言う）は、タッチ操作により熱源機の各種運転操作や各種設定操作が可能な表示部１０,２０と、機械式スイッチにより構成された運転スイッチ１１,２１とを備えている。これら表示部１０,２０は、図２に示すように、タッチパネル１２、液晶表示パネル１３及びバックライト１４とを備え、これらが一体に積層されて構成されている。図２中の符号１５は保護用のカバーシートである。タッチパネル１２としては、静電容量方式のものや、感圧抵抗膜方式のものを用いることができる。本実施形態では、静電容量方式のタッチパネルを用いた場合を例に説明する。
【００２４】
リモコン１,２について、図３に示す浴室リモコン１の詳細例を用いて、より具体的に説明する。台所リモコン２も、浴室リモコン１と同様に構成を備えるものとすることができる。もちろん、リモコン１,２の内の一方を本実施形態の如く構成し、他方を異なる構成とすることができる。浴室リモコン１は、タッチパネル１２と、液晶表示パネル１３と、バックライト１４と、主制御装置１６と、コントローラ７との通信を行うための通信インターフェース１７とで基本構成されている。又、主制御装置１６は、検出制御部１６１、表示制御部１６２、故障検知部１６３、故障時対応制御部１６４、及び、記憶部１６５等を備えて構成されている。
【００２５】
静電容量方式のタッチパネル１２には、静電容量検出部１２２及びタッチ座標検出部１２３を備えたタッチパネルコントローラ１２１が設けられている。静電容量検出部１２２は、交差方向にそれぞれ配列されてメッシュ状に形成された両電極間の静電容量（相互容量）が操作者の指等の指示体の近接により変化する変化量を検出し、タッチ座標検出部１２３に出力するように構成されている。そして、タッチ座標検出部１２３は、その検出値に基づいて、指等によるタッチ操作の有無や、タッチ操作時のタッチ座標を求め、これらの情報を主制御装置１６の検出制御部１６１に送出する。なお、静電容量の検出方式としては、相互容量検出方式に他に、前記の両電極のそれぞれと指示体との間に形成される静電容量を検出する自己容量検出方式を採用することもできる。
【００２６】
検出制御部１６１は、タッチパネル１２から出力されるタッチ座標情報と、後述の通常画面表示中の各種スイッチ類等の操作対象に係るレイアウト設定情報との対応関係から、ユーザーのタッチ操作がいずれの操作対象に対して行われたのかを検出し、この特定された操作対象に対応する操作指令信号をコントローラ７に送出するようになっている。
【００２７】
液晶表示パネル１３には、記憶部１６５に予め記憶設定された表示情報に基づいて、表示制御部１６２により所定の表示画面が表示されるようになっている。ここで、記憶部１６５は、書き換え可能不揮発性メモリなどから構成され、主制御装置１６に各種制御を行わせるためのプログラム及び各種データ、並びに、給湯温度及びふろ温度などの各種設定値が記憶される。各種データの内、表示画面に表示する操作対象としては、通常画面表示用や、切換表示画面用等の各種レイアウト設定情報や、各レイアウト設定に含まれる各種スイッチ等について、表示パターン、表示位置、表示サイズ、表示色等の情報がスイッチ毎に設定・登録されている。
【００２８】
バックライト１４は、例えばＬＥＤアレイにより構成された光源１４１と、そのＬＥＤに駆動電流を供給するための光源駆動回路１４２とを備えている。故障検知部１６３は、この光源駆動回路１４２から供給される駆動電流を監視し、駆動電流が所定の閾値（例えば２ｍＡ以下）まで低下すれば、バックライト１４に故障発生と検知するようになっている。バックライト用の光源としては、ＬＥＤアレイの他に、例えば冷陰極管や有機ＥＬ等を用いることができる。ＬＥＤアレイ以外の光源を用いる場合には、印加電圧の変化を監視したり、輝度変化を監視したりすることで、故障発生を検知することができる。又、故障検知部１６３として、バックライト１４の故障発生以外に、液晶表示パネル１３の故障発生を検知対象にして、液晶表示パネル１３の故障発生時にも以下の故障時対応制御を適用することができる。
【００２９】
図４は、通常時にリモコン１,２の表示部１０,２０に表示されるの通常画面表示の一例を示している。図例の通常画面表示の場合、表示部１０,２０の下部には、「メニュー」,「通話」，「追いだき」，「ふろ自動」の操作用の各種スイッチ表示１０１〜１０４が表示されるようになっている。「ふろ自動」又は「追いだき」のいずれかのスイッチ表示１０３，１０４をタッチ操作すると、その制御指令に係る制御信号がコントローラ７に送信され、対応するふろ自動動作又は追い焚き動作に係る制御が開始され、「通話」のスイッチ表示１０２をタッチ操作すると、コントローラ７を介して他のリモコンとの間で双方向通話が可能となり、「メニュー」のスイッチ表示１０１をタッチ操作すると、各種メニューや、各メニューに対応する情報表示画面や操作画面が表示されるようプログラム構成されている。例えば、「メニュー」のスイッチ表示１０２をタッチ操作すると、各種設定値を変更操作するメニュー画面（図示せず）を表示させて、このメニュー画面の操作によって、例えば浴槽６への湯張り量やふろ温度等の各種設定値を変更できる、というようにプログラム構成することができる。
【００３０】
又、表示部１０,２０の中央部には、現在の給湯温度設定値（例えば４０℃）に係る数値表示１０５と、給湯温度の上げ下げを入力操作するための温度操作ボタン表示１０６，１０７と、内部にふろ温度設定値（例えば３９℃）が数値表示された浴槽表示１０８とが表示される。
【００３１】
ここで、符号１０９は画面切換スイッチ表示であり、この画面切換スイッチ表示１０９をタッチ操作すると、例えば燃料電池等の外部熱源機による発電量に係る情報や、運転状況に係る情報を表示することができる。又、符号１１，２１は機械式スイッチにより構成された運転スイッチであり、この運転スイッチ１１，２１をＯＮ操作することで、熱源機１からの給湯が可能となり、表示部１０，２０に対するタッチ操作に基づく操作指令がコントローラ７に送出されることが可能となる。さらに、符号１１０は、スピーカにより構成された音声報知部である。
【００３２】
主制御装置１６による表示制御は、その例を図５に示すように、電源が投入されると、表示部１０，２０に通常画面を表示し（ステップＳ１）、タッチ操作が検出されれば（ステップＳ２でＹＥＳ）、タッチパネル１２から取得したタッチ座標情報に基づいて対応する処理を実行する（ステップＳ３）。すなわち、ダクト座標情報に基づき操作用スイッチ（例えば図４のスイッチ表示１０３，１０４）に対するタッチ操作であれば、そのスイッチに対応する操作指令をコントローラ７に出力し、あるいは、タッチ座標情報が例えば給湯温度の入力操作用スイッチ（例えば図４のスイッチ表示１０６，１０７）であれば通常画面表示の内の給湯温度を対応する温度に表示変更するとともに、コントローラ７に対し入力操作された給湯温度に係る温度情報を出力する。
【００３３】
＜第１実施形態＞
故障時対応制御部１６４は、故障検知部１６３からの故障発生検知の出力を受けて、
検出制御部１６１によるタッチ操作検出のために適用するレイアウト設定情報を故障時のものに切換えたり、後述の音声報知部１１０を用いて故障時対応の報知処理を実行したり、するようになっている。すなわち、タッチパネル１２から出力されるタッチ座標情報に基づくタッチ操作検出を、通常時（正常時）には、表示部１０,２０に表示される通常画面表示に係るレイアウト設定情報から割り出して検出するようにしているが、故障検知時には、この通常時のレイアウト設定情報を後述の如く故障時のレイアウト設定情報に切換えるようになっている。
【００３４】
次に、故障検知時の故障対応制御部１６４による故障対応制御について説明する。図６（ａ）は、バックライト１４に故障が発生したときの表示部１０，２０の状態を示している。バックライト１４が故障すると、表示部１０，２０が暗転して暗くなり、タッチパネル１２の機能や液晶表示パネル１３による画面表示機能は正常であっても、その画面表示自体をユーザーが視認することが困難又は不能となる。このため、故障対応制御部１６４は、図７に示すように、故障検知の出力を故障検知部１６３から受けると（ステップＳ１１でＹＥＳ）、故障時対応モードに切換える（ステップＳ１２）。故障時対応モードでは、記憶部１６５から故障時対応のレイアウト設定情報を読み出して、このレイアウト設定情報に基づいてタッチパネル１２により検出されるタッチ座標情報に対応する操作指令をコントローラ７に送出するように切換える。故障時対応のレイアウト設定とは、表示部１０，２０のタッチ操作可能な領域全面を単一の特定操作スイッチ（例えばふろ自動スイッチ）に割り付けるものである。
【００３５】
この場合、ユーザーが表示部１０，２０（図６（ａ）参照）のタッチ操作可能ないずれの部位に指Ｆ等でタッチ操作しても、全て、ふろ自動スイッチに対するタッチ操作がなされたと検出され、コントローラ７に対しふろ自動の開始指令が送出されることになる。併せて、音声報知部１１０から，前記の故障時対応のレイアウト設定の内容について音声報知することで、ユーザーに対し表示部１０，２０が暗転したとしても、最低限の操作（ふろ自動運転）が可能であること、そして、表示部１０，２０のいずれをタッチ操作したとしてもふろ自動運転のための操作を行うことができることを案内することができるようになる。以上の故障対応制御の結果、バックライト１４が故障して表示部１０，２０の各種スイッチ表示（通常画面表示）が視認不能又は判読不能となったとしても、ふろ自動スイッチだけは有効に操作することができ、浴槽６に湯張り等をして入浴することが可能となる。しかも、音声案内により、ユーザーは故障が発生したことや、ふろ自動運転に係る操作を行うことができことを確実に認識した上で、タッチ操作を続行することができる。その上、通常時のレイアウト設定情報が切換えられて、その通常時のレイアウト設定情報に基づくタッチ操作検出がキャンセルされるため、表示部１０，２０のいずれにタッチ操作したとしても誤操作発生のおそれを回避することができる。
【００３６】
図６（ｂ）は、故障時対応のレイアウト設定情報の他の例を示しており、この場合のレイアウト設定は、表示部１０，２０のタッチ操作可能な領域全面を上下・左右に分割した４つの領域にそれぞれ単一の特定操作スイッチ（特定の操作対象）を割り付けるものである。すなわち、表示部１０，２０の領域全面を四分割して４種類の操作スイッチ（特定の操作対象）が割り付けられる。例えば、右上領域Ｒｒｕにふろ自動スイッチ、右下領域Ｒｒｌの追いだきスイッチ、左上領域Ｒｌｕに給湯設定温度を１度ずつ上昇させるための昇温スイッチ、そして、左下領域Ｒｌｌに給湯設定温度を１度ずつ降温させるための降温スイッチを割り付けることができる。この場合、指Ｆ等で例えば右下領域Ｒｒｌをタッチ操作すれば、追い焚き操作がなされたと検出され、コントローラ７に対し追い焚き指令が送出される。この場合も、音声報知部１１０からの音声案内により、表示部１０，２０の領域が四分割されたこと、及び、各領域がいずれの種類の操作スイッチに割り付けられたかの情報を確実に認識することができ、安心してタッチ操作を行うことができるようになる。なお、四分割に限らず、上下に分割した二分割、又は、左右に分割した二分割に領域設定し、各領域に対し互いに異なる２種類の操作スイッチを割り付けるようにすることができる。
【００３７】
そして、光源駆動回路１４２による駆動電流の供給状態を監視していた故障検知部１６３により駆動電流の供給が正常の定電流状態に回復したことの検知情報が出力されると（図７のステップＳ１３でＹＥＳ）、故障対応制御を終了して再び通常時のレイアウト設定情報に基づく通常画面を表示させるための表示制御と、通常画面表示に基づく検出制御とに復帰させる（ステップＳ１４）。
【００３８】
以上の故障時対応のレイアウト設定情報として既設定の特定操作対象である特定種類の操作スイッチを、ユーザーの意思により他の種類の操作スイッチに変更設定することが可能となっている。すなわち、図６（ａ）に示す如く、指Ｆで表示部１０，２０に対し所定のタッチ操作（例えば所定時間以上の長押し操作）を行うことで、主制御部１６の設定変更制御部１６６による設定変更制御を開始させることができる。そして、１回の短時間のタッチ操作を行うごとに所定の順番で各種の操作スイッチが切り替わり、所望の種類の操作スイッチになれば、前記と同様の所定のタッチ操作（長押し操作）を行うことで確定させることができる。この際に、音声報知部１１０による音声案内を組み合わせることができ、デフォルトの設定はどの操作スイッチか、１回タッチ操作すると次はどの操作スイッチか、再度の長押しすると確定したかどうか等を音声案内することで、その都度確認しつつ変更設定操作を進めることができ、しかも、確実な変更設定操作を行うことができるようになる。
【００３９】
さらに、２台以上のリモコン１，２がある場合には、一方のリモコンが故障状態に陥れば、他方のリモコンを用いて前記一方のリモコンのレイアウト設定情報の変更設定を行うことができる。例えば、図８に示すように、浴室リモコン１で故障検知が出力されると、その故障検知出力がコントローラ７を通じて台所リモコン２の設定変更制御部１６６に送信され、これを受信して、台所リモコン２の設定変更制御部１６６は設定変更制御を開始することになる。この設定変更制御の開始により、台所リモコン２では、表示部２０の表示を通常画面表示から設定変更画面表示に表示切換され、ユーザーは台所リモコン２の表示部２０に対するタッチ操作により浴室リモコン１の故障時対応のレイアウト設定を変更設定することができるようになる。具体例を挙げると、台所リモコン２の表示部２０には、設定変更画面表示として、設定変更可能な対象の複数個の操作スイッチ候補２０１〜２０５と、変更設定用の確定スイッチ２０６とが表示される。操作スイッチ候補としては、追いだきスイッチ２０１、ふろ自動スイッチ２０２、足し湯スイッチ２０３、給湯設定温度の昇温操作スイッチ２０４、及び、降温操作スイッチ２０５が表示される。ユーザーは、変更設定したいいずれかの操作スイッチ（例えば追いだきスイッチ）をタッチ操作した上で、確定スイッチをタッチ操作することで、その変更設定情報がコントローラ７経由で浴室リモコン１の設定変更制御部１６６に送信され、浴室リモコン１の表示部１０の領域全面にその変更設定された後の操作スイッチ（追いだきスイッチ）が割り付けられる。
【００４０】
＜第２実施形態＞
図９は、第２実施形態における故障時対応部１６４による故障時対応制御に基づく非タッチ操作に基づく操作検出に係る説明図である。この第２実施形態は、静電容量検出部１２１が相互容量検出方式による静電容量検出を採用していることを前提とするものである。この第２実施形態でも、故障検知部１６３からの故障検知出力を受けると（図７のステップＳ１１でＹＥＳ）、故障時対応制御部１６４は故障時対応モードに切換える（ステップＳ１２）。この第２実施形態の故障時対応モードは、タッチパネル１２と、操作者の例えば手Ｈとの相対距離の違いと、そのときに検出される静電容量の値の変化とが互いに対応関係にあることを利用して、操作者の非タッチ操作と、対応する操作スイッチ（操作対象）との対応関係を予め定めたものである。このような故障時対応モードの前記対応関係は、記憶部１６５に記憶設定されている。例えば、表示部１０，２０の正面に距離Ｌ１だけ離して手Ｈを正対させたときに検出される静電容量と、距離Ｌ２だけ離して手Ｈを正対させたときに検出される静電容量とについて、予め閾値を定め、距離Ｌ１（例えば３ｃｍ）に対応する閾値に対し特定種類の操作スイッチ（例えば追いだきスイッチ）を割り付け、距離Ｌ２（例えば１０ｃｍ）に対応する閾値に対し他の特定種類の操作スイッチ（例えばふろ自動スイッチ）を割り付ける。そして、操作者がリモコン１，２の表示部１０，２０の正面に手Ｈを所定距離Ｌ１，Ｌ２だけ離してかざすことにより、対応する特定スイッチに対する操作が行われたと検出し、コントローラ７に対し対応する運転操作指令を送出する。
【００４１】
図１０は、他の故障時対応モードの例を示している。この故障時対応モードは、タッチパネル１２に対する操作者の例えば手Ｈの位置変化（例えば上下方向移動又は左右方向移動による位置変化）と、そのときに検出される静電容量の値の変化パターンとが互いに対応関係にあることを利用して、操作者の非タッチ操作と、対応する操作スイッチとの対応関係を予め定めたものである。例えば、表示部１０，２０の下側位置から上側位置に上下方向Ｘに手Ｈを移動させたときに検出される静電容量の変化パターンと、左側位置から右側位置に左右方向Ｙに手Ｈを移動させたときに検出される静電容量の変化パターンとについて、予め試験を行って基準変化パターンを定め、各基準変化パターンに対し特定種類の操作スイッチを割り付けておく。この際、手Ｈは表示部１０，２０との正対方向の間隔を所定量（例えば５ｃｍ程度）に維持した非タッチ状態で併行移動させるようにする。そして、例えば、上下方向Ｘ移動に基づく基準変化パターンに対し例えば追いだきスイッチを割り付け、左右方向Ｙ移動に基づく基準変化パターンに対し例えばふろ自動スイッチを割り付ける。操作者がリモコン１，２の表示部１０，２０に対し、手Ｈを上下方向Ｘ又は左右方向Ｙに移動操作させることにより、対応する特定スイッチに対する操作が行われたと検出し、コントローラ７に対し対応する運転操作指令を送出する。
【００４２】
いずれの場合も、音声報知部１１０から操作者の手Ｈの非タッチ操作に基づき検出された操作スイッチの情報を案内することにより、操作者は安心して非タッチ操作を行うことができる。そして、その検出内容がもしも間違っていれば、例えば運転スイッチ１１をＯＦＦにすることで、操作指令をキャンセルすることができるようにすればよい。
【００４３】
＜他の実施形態＞
本発明は、前記実施形態に限らず、他の構成を採用することができる。例えば、第１実施形態において、図６（ａ）の故障対応時のレイアウト設定として、表示部１０，２０の全領域を対象とするタッチ操作により検出される特定種類の操作スイッチとして、運転スイッチ１１，２１の役割を設定し、代わりに機械式の運転スイッチ１１，２１にふろ自動スイッチの機能を担わせるように切換えることができる。
【符号の説明】
【００４４】
１      浴室リモコン（熱源機用操作装置）
２      台所リモコン（熱源機用操作装置）
３      熱源機
１０，２０    表示部
１２    タッチパネル
１０１〜１０４，２０４〜２０６  操作スイッチ（操作対象）
１１０  音声報知部
１２２  静電容量検出部
１６３  故障検知部
１６４  故障時対応制御部
１６６  設定変更制御部
【図１】
2017199101.tif 000003
【図２】
2017199101.tif 000004
【図３】
2017199101.tif 000005
【図４】
2017199101.tif 000006
【図５】
2017199101.tif 000007
【図６】
2017199101.tif 000008
【図７】
2017199101.tif 000009
【図８】
2017199101.tif 000010
【図９】
2017199101.tif 000011
【図１０】
2017199101.tif 000012